(57)【特許請求の範囲】
【請求項１】
支持体（３）及び該支持体（３）と一体化された圧力センサー（２）を備える眼圧測定デバイス（１）であって、前記支持体（３）は、ユーザーの眼（８）の眼圧（ＩＯＰ）を検知するため、前記圧力センサー（２）を前記眼（８）と接触状態で設置するために構成される、前記眼圧測定デバイス（１）と、
前記眼圧測定デバイス（１）と無線通信するためのアンテナ（６０）を含む携帯型記録デバイス（６）であって、前記眼圧測定デバイス（１）と通信し、該眼圧測定デバイス（１）から受信されるデータを記憶するために構成される、前記携帯型記録デバイス（６）と、
を備える、眼圧測定及び／又はモニタリングシステムであって、
前記ユーザーの動き及び／又は身体的活動に関する情報を収集するための慣性センサー（９）を更に備え、
前記慣性センサー（９）は、前記アンテナ（６０）に対するインタフェースを形成する通信モジュール（６１）内に配置され、該通信モジュール（６１）は、前記眼圧測定及び／又はモニタリングシステムが前記ユーザーによって装着されると、該ユーザーの頭部と一体に取り付けられるように適合されるか、又は、
前記慣性センサー（９）は、前記眼圧測定及び／又はモニタリングシステムが前記ユーザーによって装着されると、該ユーザーの前記眼（８）を囲むように適合されるパッチ（６００）内に配置されることを特徴とする、眼圧測定及び／又はモニタリングシステム。
【請求項２】
前記支持体はコンタクトレンズ（３）である、請求項１に記載の眼圧測定及び／又はモニタリングシステム。
【請求項３】
前記支持体は、前記眼（８）に埋め込まれるように構成される、請求項１に記載の眼圧測定及び／又はモニタリングシステム。
【請求項４】
環境センサーを更に備えることを特徴とする、請求項１〜３のいずれか１項に記載の眼圧測定及び／又はモニタリングシステム。
【請求項５】
前記アンテナ（６０）は、前記眼圧測定及び／又はモニタリングシステムがユーザーによって装着されると、該ユーザーの前記眼（８）を囲むように適合される前記パッチ（６００）内に配置される、請求項１〜４のいずれか１項に記載の眼圧測定及び／又はモニタリングシステム。
【請求項６】
前記携帯型記録デバイス（６）は、前記慣性センサー（９）と通信し、前記慣性センサー（９）から受信されるデータを記憶するために構成される、請求項１〜５のいずれか１項に記載の眼圧測定及び／又はモニタリングシステム。
【請求項７】
少なくとも２つの慣性センサーを備える、請求項１〜６のいずれか１項に記載の眼圧測定及び／又はモニタリングシステム。
【請求項８】
前記少なくとも２つの慣性センサーは第１の慣性センサーを及び第２の慣性センサーを備え、
眼圧測定及び／又はモニタリングシステムがユーザーによって装着されると、前記第１の慣性センサーは、前記ユーザーの胸部に接して装着されるように適合される前記携帯型記録デバイス（６）のハウジング内に配置され、前記第２の慣性センサーは、前記ユーザーの頭部上に設置されるように適合される通信モジュール（６１）内に配置される、請求項７に記載の眼圧測定及び／又はモニタリングシステム。
【発明の詳細な説明】
【技術分野】
【０００１】
本発明は、眼圧（ＩＯＰ：intraocular pressure）を測定及び／又はモニタリングする
ためのシステムに関する。本発明は、長期間にわたって眼圧をモニタリングするためにユーザーの眼の上又は眼の中に設置され得るデバイスを備えるシステムに特に関し、システムは、慣性センサー、及び任意の環境センサーを更に備えて、こうして収集された慣性情報、及び任意の環境情報を眼圧測定に相関させることを可能にする。
【背景技術】
【０００２】
緑内障は、高い眼圧（ＩＯＰ）を特徴とする広く知れ渡った疾病である。この高いＩＯＰは、段階的な周辺視野の喪失を引き起こす。したがって、確実な診断を提供するために、又は新しい治療法を確立するために、緑内障患者のＩＯＰについての詳細な知識を持つ必要性が存在する。
【０００３】
患者に関するＩＯＰを測定するために一般に使用される幾つかのタイプのデバイスが存在する。幾つかのデバイスは、１回測定のために構成され、通常、固定されたかさばる機器である。圧力センサーは、短い期間、所定の圧力で患者の眼に当てられる。
【０００４】
他の機器は、長期間、例えば数時間、数日、又はそれ以上にわたるＩＯＰ測定を可能にする。これらのデバイスは、例えばＭＥＭＳの形態の小型化圧力センサーを備えることが多く、小型化圧力センサーは、全測定期間中、患者によって装着される。圧力センサーは、例えば、患者によって装着されるコンタクトレンズに統合されるか若しくは取付けられるか、又は、眼球に直接埋め込まれるように構成される支持体上に搭載される。圧力センサーは、眼と接触状態にある限り、ＩＯＰを連続して測定し、測定された圧力値は、有線又は無線通信リンクを通じて受信機に送信され、また、例えば、受信機によって記憶される。
【０００５】
こうした圧力測定デバイス又はシステムの利点は、圧力測定デバイス又はシステムが、長期間にわたって患者のＩＯＰを測定することを可能にし、それにより、１日の間のＩＯＰの進展をモニタリングすることを可能にし、例えば、患者が目覚めているか眠っているか、疲れているか否か等に応じて生じ得る圧力差を測定することを可能にすることである。
例えば国際公開第２０１１／０３５２６２号、米国出願公開第２００３／００７８４８７号は埋め込み可能な眼圧モニタリング装置を開示し、国際公開第２０１１／０８３１０５号は、コンタクトレンズと一体化した眼圧モニタリング装置を開示しており、これらはすべて遠隔装置と無線で通信を行う。これらの装置は例えば長期間にわたって眼圧を測定するのに用いることもできる。
【０００６】
しかし、測定されたＩＯＰ変動の一部を分析することが時として難しい場合があり、それは、外部要因、例えば、ＩＯＰ測定時の患者の身体的活動及び／又は環境のせいであり得る。
【発明の概要】
【発明が解決しようとする課題】
【０００７】
したがって、本発明の目的は、長期間にわたって行われるＩＯＰ測定のより正確な分析を可能にする眼圧測定及び／又はモニタリングシステムを提供することである。
【０００８】
本発明の別の目的は、長いＩＯＰモニタリング期間にわたって行われるＩＯＰ測定のより包括的な分析を可能にする眼圧測定及び／又はモニタリングシステムを提供することである。
【課題を解決するための手段】
【０００９】
これらの目的及び他の利点は、対応する独立請求項の特徴を備えるシステム及びデバイ
スによって達成される。
【００１０】
これらの目的及び他の利点は、特に、眼圧測定及び／又はモニタリングシステムにおいて、
支持体及び該支持体と一体化された圧力センサーを備える眼圧測定デバイスであって、前記支持体は、ユーザーの眼の眼圧（ＩＯＰ）を検知するため、前記圧力センサーを前記眼と接触状態で設置するために構成される、前記眼圧測定デバイスと、
前記眼圧測定デバイスと無線通信するためのアンテナを含む携帯型記録デバイスであって、前記眼圧測定デバイスと通信し、前記眼圧測定デバイスから受信されるデータを記憶するために構成される、前記携帯型記録デバイスと、
を備える、眼圧測定及び／又はモニタリングシステムであって、
前記ユーザーの動き及び／又は身体的活動に関する情報を収集するための慣性センサーを更に備え、
前記慣性センサーは、前記アンテナに対するインタフェースを形成する通信モジュール内に配置され、該通信モジュールは、前記眼圧測定及び／又はモニタリングシステムが前記ユーザーによって装着されると、該ユーザーの頭部と一体に取り付けられるように適合されるか、又は、
前記慣性センサーは、前記眼圧測定及び／又はモニタリングシステムが前記ユーザーによって装着されると、該ユーザーの前記眼を囲むように適合されるパッチ内に配置される、眼圧測定及び／又はモニタリングシステムによって達成される。
【００１１】
支持体は、例えばコンタクトレンズであるか又は眼に埋め込まれるように構成される支持体である。
実施形態において、眼圧測定及び／又はモニタリングシステムは、環境センサーを更に備える。
【００１４】
アンテナは、例えば、眼圧測定及び／又はモニタリングシステムがユーザーによって装着されると、ユーザーの眼を囲むように適合されるパッチ内に配置される。
【００１５】
実施形態において、携帯型記録デバイスは、慣性センサーと通信し、慣性センサーから受信されるデータを記憶するために構成される。
【００１６】
実施形態において、眼圧測定及び／又はモニタリングシステムは、少なくとも２つの慣性センサーを備える。前記少なくとも２つの慣性センサーは、例えば、第１の慣性センサー及び第２の慣性センサーを備え、眼圧測定及び／又はモニタリングシステムがユーザーによって装着されると、前記第１の慣性センサーは、前記ユーザーの胸部に接して装着されるように適合される前記携帯型記録デバイスのハウジング内に配置され、前記第２の慣性センサーは、前記ユーザーの頭部上に設置されるように適合される通信モジュール内に配置される。
【００１９】
慣性センサー、及び任意の環境センサーによって、ＩＯＰ測定及び／又はモニタリング
期間中に、患者の動き及び／又は身体的活動に関する情報、及び患者の環境に関する任意の情報が収集される。ＩＯＰ測定及び／又はモニタリング期間中に、好ましくは圧力センサーの近くでユーザーに取付けられる慣性センサー、及び任意の環境センサーから得られる情報は、例えば、患者の身体的活動、身体的活動の強度、患者の位置等、及び任意に周囲温度、局所大気圧、高度等も含む群からの１つ又は複数のパラメーターを含む。そのため、本発明のシステム及び／又はデバイスは、ＩＯＰに関する情報を、同じ期間中に測定及び／又はモニタリングされる患者活動に関する情報及び環境に関する任意の情報に相関させて、例えば、ＩＯＰに関する測定された慣性パラメーター及び任意の環境パラメーターの１つ又は複数の効果を分析することを可能にする。
【００２０】
実施形態において、本発明の眼圧測定及び／又はモニタリングシステムは、ユーザーの位置及び／又は動き、例えばユーザーが受ける場合がある加速度又は衝撃、ユーザー、特にユーザーの頭部の位置を検出及び／測定する慣性センサーを備えて、ユーザーが立っているか、座っているか、又は横たわっているか等を判定する。慣性センサーは、例えば、３つの直交方向に沿う線形加速度及び／又は３つの直交回転軸の回りの角速度の測定を可能にする加速度計及び／又はジャイロスコープを備えるＭＥＭＳである。
【００２１】
２つの慣性センサー、例えば、ユーザーの胸部に接するか又はその近くに配置される第１の慣性センサー及びユーザーの頭部の上か又はその近くに配置される第２の慣性センサーを使用することは、例えば、ユーザーの頭部及び身体の相対位置を決定することを更に可能にする。
【００２２】
実施形態において、本発明の眼圧測定及び／又はモニタリングシステムは、環境センサー、例えば、気圧計、高度計、ＧＰＳ受信機、及び／又は温度計を更に備えて、眼圧測定及び／又はモニタリングシステムを装着する患者の環境に関する対応する情報を記録するようにする。
【００２３】
実施形態において、本発明の眼圧測定及び／又はモニタリングシステムは、１つ又は複数の慣性センサー及び１つ又は複数の環境センサーを備える。
【００２４】
本発明は、図によって示される以下の説明によってより良く理解されるであろう。
【図面の簡単な説明】
【００２５】
【図１】本発明の一実施形態による眼圧測定装置を示す図である。
【図２】図１の眼圧測定デバイスを装着する眼の略切断図である。
【図３】本発明の別の実施形態による眼圧測定デバイスを装着する眼の略切断図である。
【図４】本発明の眼圧測定及び／又はモニタリングシステムの例の略図である。
【図５】本発明の一実施形態による眼圧測定及び／又はモニタリングシステムを装着するユーザーを示す図である。
【発明を実施するための形態】
【００２６】
実施形態において、本発明の眼圧測定及び／又はモニタリングシステムは、患者の眼の上に又は眼の中に設置される、眼の眼圧を測定するための眼圧測定デバイスと、眼圧測定デバイスと通信し、ＩＯＰモニタリングフェーズ中に眼圧測定デバイスによって収集される情報を記憶するための携帯型記録デバイスとを備える。
【００２７】
図１に示す一実施形態では、眼圧測定デバイス１は、コンタクトレンズ３、例えばソフトコンタクトレンズの形態の支持体と一体化された圧力センサー２を備える。圧力センサー２は、コンタクトレンズ３がユーザーによって装着されると、対応する眼の眼圧（ＩＯ
Ｐ）を検知するためにユーザーの眼球に当接される（apply against）ように配置される。
【００２８】
図２は、患者又はユーザーの眼８上に設置された、コンタクトレンズの形態の支持体を有するＩＯＰ測定デバイス１の例を概略的に示す。示す例によれば、ユーザーは、角膜８０上で心出しされる標準的なコンタクトレンズと同様にＩＯＰ測定デバイス１を装着する。しかし、コンタクトレンズの形態の支持体を有する他のタイプのＩＯＰ測定デバイス、例えば、支持体が、例えば眼蓋（図２では示されない）の下で強膜上に設置されるように設計されるＩＯＰ測定デバイスが、本発明の枠組み内で可能である。
【００２９】
代替的に、また、図３を参照して、眼圧測定デバイス１は、埋め込み型デバイスであり、支持体は、例えば角膜８０と虹彩８２との間の眼内に、又は患者の眼８内の任意の他の適切な場所に埋め込まれるように適合される。埋め込み型ＩＯＰ測定デバイス１を埋め込むことは、通常、医師によって実施される外来外科手術である。
【００３０】
本発明の実施形態によれば、また、図１を参照すると、眼圧測定デバイス１は、例えば、ユーザーが上記デバイス１を装着すると、ユーザーの眼の位置、方位、及び／又は動きを検知するための慣性センサー９を更に備える。
【００３１】
以下で説明するように、本発明の他の実施形態によれば、慣性センサーは、眼圧測定及び／又はモニタリングシステムの他の部分内に、例えば携帯型デバイス内に配置される。
【００３２】
慣性センサー９は、例えば、互いに直交する３つの軸に沿う加速度及び／又は互いに直交する３つの回転軸の周りの角速度を検出するための加速度計（３次元加速度計）及び／又はジャイロスコープ（３次元ジャイロスコープ）を備える慣性センサーであり、したがって、上記慣性センサー９を装着するユーザーの動きを検出及び／又は測定することを可能にする。
【００３３】
他の実施形態では、慣性センサー９は、例えば、ユーザーが上記慣性センサー９を装着すると、上記ユーザー又はユーザーの少なくとも一部、例えばユーザーの頭部の位置及び／又は位置を決定するための位置及び／又は方位センサーを備える慣性センサーである。
【００３４】
実施形態において、眼圧測定デバイス１は環境センサーを更に備え、環境センサーは、例えば、周囲大気圧、周囲温度及び／又は眼の温度、本発明の眼圧測定及び／又はモニタリングシステムの高度及び／又は地理的位置を測定するための気圧計、温度計、高度計、及び／又はＧＰＳ受信機を備える。
【００３５】
実施形態において、本発明の眼圧測定及び／又はモニタリングシステムは、システム、例えばＩＯＰ測定デバイス及び／又は携帯型デバイスの様々な部分におそらく配置された複数の慣性センサー及び任意の環境センサーを備え、各センサーの場所は、例えば、そのサイズ及び／又はそのパワー要件及び／又はその性質に依拠する。
【００３６】
サイズの制約のため、１つ又は複数の慣性センサー及び任意の環境センサーは、特に上記慣性センサー及び任意の環境センサーが、眼の上に又は眼の中に装着されるＩＯＰ測定デバイス内に配置されるとき、ＭＥＭＳである。
【００３７】
実施形態において、例えば図１に示すように、コンタクトレンズ３と一体化した眼圧測定デバイス１は、圧力センサー２及び慣性センサー９と電気接触状態にあるマイクロコントローラー５を更に備えて、センサー２、９に給電する、及び／又は、測定された圧力に対応する電気信号を圧力センサー２から受信する、及び／又は、測定された慣性パラメー
ターに対応する電気信号を慣性センサー９から受信するようにする。ＩＯＰ測定デバイス１はまた、マイクロコントローラー５と電気接触状態にあるアンテナ４を備えて、データ、例えばセンサー２、９から受信されるデータを、遠隔の機器、例えば図１に示さない本発明のシステムの携帯型デバイスに無線送信するようにする。
【００３８】
一実施形態では、眼圧測定デバイス１、特にマイクロコントローラー５及び／又は一方又は両方のセンサー２、９は、例えば携帯型デバイスによって、好ましくはアンテナ４を通して無線で誘導的に給電される。一変形実施形態では、圧力測定デバイスは、電力源、例えば電池か、マイクロ燃料電池か、赤外線のような無線エネルギー源か、又は太陽電池を備えて、マイクロコントローラー及び／又は一方若しくは両方のセンサーに給電するようにする。電力源は、支持体上若しくは支持体内部、又は外部デバイス上に配置され、その場合、電源は、例えば、薄くかつ絶縁された電気ワイヤを通してマイクロコントローラー及び／又はセンサーに電気接続される。
【００３９】
圧力センサー２は、例えば、セラミック又はシリコンキャリア上にピエゾ抵抗シリコン微小機械加工式圧力センサーを備える小型化圧力センサーである。しかし、他のタイプの圧力センサー、例えば、ＩＯＰの効果の下で伸長若しくは収縮する薄い抵抗素子を備える歪ゲージ圧力センサー、又は任意の他の適応する圧力センサーが、本発明の枠組み内で可能である。最も適切な圧力センサーの選択は、例えば、支持体の性質及びサイズ、ユーザーによって装着されるときのＩＯＰ測定デバイスの場所、所望の測定精度等に依拠することになる。
【００４０】
変形実施形態では、圧力センサー並びに慣性センサーは、単一デバイス、例えば両方の機能を実施する単一ＭＥＭＳとして製造される。
【００４１】
図１を参照すると、圧力センサー２によって検知される圧力を測定することは、例えば、マイクロコントローラー５が、圧力センサー２に所与の電圧で給電し、次に、圧力センサー２から、検知された圧力に対応する電気信号、例えば、その大きさがピエゾ抵抗器によって形成される回路の電気抵抗に依拠する電気信号を受信することによって実施される。受信される信号は、測定された圧力を決定するために、例えばマイクロコントローラー５に記憶され及び／又はそこで処理される。圧力測定は、例えば、一定間隔で、例えば、眼圧測定及び／又はモニタリングデバイス１が、外部デバイス、例えば外部ＲＦＩＤリーダー等によって誘導的に給電されるたびに実施される。変形実施形態では、圧力測定は、例えば、連続的に又はランダムに間隔を空けて実施される。
【００４２】
実施形態において、例えば、慣性センサー９が圧力測定デバイス１内に配置される実施形態では、慣性センサー９は、圧力センサー２と同時に給電され、慣性パラメーターの測定は、眼圧測定に関して上述したのと同様に実施される。
【００４３】
他の実施形態では、例えば、慣性センサーが、本発明のＩＯＰ測定及び／又はモニタリングシステムの他の場所に、例えば携帯型デバイス内に配置される実施形態では、慣性パラメーターの測定は、連続的に又は任意の他の適切な頻度で実施される。慣性センサーは、携帯型デバイス内に配置される電気源、例えば電池又は蓄電池から、例えば連続的に給電される。
【００４４】
図１を参照すると、コンタクトレンズ３は、例えば、１０％より大きい濃度で水を含有する透明ヒドロゲル、又は、同様の機械的及び／又は光学的特性を有する任意の他の適切な材料、例えば、可撓性ポリシロキサン、シリコーンエラストマー、０．５％より小さい濃度で水を含有するピュアソフトシリコーン、又はシリコーンヒドロゲルで作られたソフトコンタクトレンズである。コンタクトレンズ３は、１４．１ｍｍの通常の直径及び８．
４ｍｍと９ｍｍとの間の通常の曲率半径を有し、例えば、ユーザーの眼球の表面より軟質であり、それにより、圧力測定及び／又はモニタリングデバイス１がユーザーによって装着されると、コンタクトレンズ３は、わずかに変形して、例えばわずかに伸長して、その形状を、眼球の形状、特にユーザーの眼の曲率に適合させる。コンタクトレンズ３のこの変形は、眼の形状に適合するコンタクトレンズの表面にわたってコンタクトレンズ３とユーザーの眼球との間に一定の接触及び強い付着を可能にし、したがって、このエリア内に設置された圧力センサー２と眼球との間に密接した一定の接触を可能にする。
【００４５】
オプションで、圧力測定デバイス１は、例えば、網膜電位計、化学分析センサー、及び／又は第１の圧力センサーと同じか又は別のタイプの第２の圧力センサー等の、更なる及び／又は他の測定デバイスを更に備える。
【００４６】
図４は、本発明の一実施形態による、眼圧測定及び／又はモニタリングシステムの略図である。示す実施形態によれば、眼圧測定及び／又はモニタリングシステムは、眼圧測定デバイス１、例えば、コンタクトレンズの形態の支持体を有する眼圧測定デバイス１と、眼圧測定デバイス１と通信し、ＩＯＰモニタリングフェーズ中に収集される情報を記憶するための携帯型記録デバイス６とを備える。
【００４７】
携帯型記録デバイス６は、圧力測定デバイス１と通信するための第１の通信インタフェースを備える。第１の通信インタフェースは、例えば、アンテナ６０、例えばループアンテナを備える無線通信インタフェースであり、アンテナ６０は、有利には、圧力測定デバイス１がユーザーによって装着されると、圧力測定デバイス１の近くに設置される。
【００４８】
携帯型記録デバイス６は、携帯型記録デバイス６によって収集され記憶されるデータを、記憶し、分析し、計算し、及び／又は表示するための、遠隔コンピューティングデバイス７、例えばパーソナルコンピューターと通信するための第２の通信インタフェース１６を備える。
【００４９】
ＩＯＰをモニタリングするとき、ユーザーは、図５において例証的であるが決して限定的でない例によって示すように本発明の圧力測定及び／又はモニタリングシステムを装着する。したがって、ユーザー１００は、眼８の上か又はその中に圧力測定デバイス１を装着し、ユーザーの首から垂れ、また例えば、ユーザーの首にストラップで固定されるポケット６２内に携帯型記録デバイス６を保持する。しかし、ユーザー１００が、好ましくはユーザーの快適さに著しく影響を及ぼすことなく携帯型デバイス６を保持するための任意の他の適応的解決策が、本発明の枠組み内で可能である。
【００５０】
アンテナ６０は、好ましくは、圧力測定デバイス１を装着するユーザーの眼８のできる限り近くに設置されて、圧力測定デバイス１と記録デバイス６との間の第１の無線通信チャネルの確立を可能にする。好ましくは、アンテナ６０は、圧力測定デバイス１のアンテナの平面にできる限り平行な平面内に方向付けされて、例えば近接距離誘導通信チャネルである第１の無線通信チャネルを通じて、圧力センサー及び／又は慣性センサーのマイクロプロセッサの効率的な給電を可能にする。アンテナ６０は、例えば、眼８を囲むパッチ６００内に、例えば、ＩＯＰモニタリング期間中にユーザーによって装着される、使い捨てで可撓性があり低アレルギー性のパッチ内に統合される。
【００５１】
代替的に、携帯型デバイスのアンテナは、例えば、眼鏡レンズ内に、及び／又は、ＩＯＰモニタリング期間中にユーザーによって装着されるキャップ又は別の衣類若しくはアクセサリに統合される。しかし、圧力測定デバイスがユーザーによって装着されるときにこの圧力測定デバイスから適した距離に携帯型デバイスのアンテナを設置するための他の手段が、本発明の枠組み内で可能である。
【００５２】
好ましくは、携帯型デバイス６のアンテナ６０は、圧力測定デバイス１及び携帯型記録デバイス６がともにユーザー１００によって装着されると、圧力測定デバイス１のアンテナに関して心出しされる。携帯型記録デバイス６のアンテナ６０の直径は、好ましくは、圧力測定デバイス１の直径より大きい。携帯型記録デバイス６のアンテナ６０の形状は、例えば、円形、長円形、長方形、又は任意の他の適切な形状である。携帯型記録デバイス６のアンテナ６０の形状は、好ましくは、アンテナ６０が取付けられる素子、例えば、パッチ６００、眼鏡、衣服のピース等に適合する。
【００５３】
実施形態において、図５には示さない慣性センサーは、眼圧測定デバイス１内に含まれる、例えばコンタクトレンズに又はＩＯＰ測定デバイス１の埋め込み型支持体に取付けられる。慣性センサーを眼圧測定デバイス１内に配置する利点は、慣性センサーが、眼８のすぐ上に又はその内部に配置され、ＩＯＰを検知する圧力測定デバイス１の圧力センサーに近くなることである。そのため、慣性センサーは、患者１００の眼８と同じ慣性条件及び／又はＩＯＰ測定デバイス１の圧力センサーと同じ慣性条件を受ける。したがって、慣性センサーによって測定される慣性パラメーターは、測定されるＩＯＰに関して影響を有する場合があるパラメーターに直接対応する。
【００５４】
他の実施形態では、慣性センサーは、携帯型デバイス６内に含まれる。慣性センサーを携帯型デバイス６内に配置する利点は、眼圧測定デバイス１内に埋設（embed）されるセンサーより大きなセンサーの使用を可能にすることである。携帯型デバイス６内に配置されると、慣性センサーは、好ましくは、携帯型デバイス６の電気エネルギー源から有線リンクを通じて給電される。
【００５５】
慣性センサーは、例えば、携帯型デバイス６のアンテナ６０の近く、例えば、パッチ６００内に、又は、アンテナ６０に対するインタフェースを形成し、ユーザーが本発明のシステムを装着するとユーザーの頭部上に配置される通信モジュール６１内に配置される。ユーザーが本発明のシステムを装着するときにユーザー１００の頭部上に慣性センサーを配置する利点は、慣性センサーが、ＩＯＰ圧力センサー及びモニタリングされる眼が受ける慣性条件と同一であるか又はそれと非常によく似ている慣性条件を受けることである。
【００５６】
代替的に、慣性センサーは、装着される携帯型デバイス６のハウジング内に、例えば、ユーザーが本発明のシステムを装着するときに例えばユーザー１００の胸部上に配置されたポケット６２内に、又は、慣性センサーによって実施される１回の又は複数回の測定の性質に応じて、携帯型デバイス６の任意の他の適切な部分内に配置される。慣性センサーのこの配置は、おそらく高い電力消費を有する更に大きな及び／又はより精緻なセンサーの使用を可能にする。
【００５７】
更に他の実施形態では、本発明の眼圧測定及び／又はモニタリングシステムは、システム及び／又は携帯型デバイス６の異なる部分内に配置される少なくとも２つの慣性センサーを備える。
【００５８】
実施形態によれば、ＩＯＰをモニタリングしている間、携帯型記録デバイス６は、例えば規則的に離間した時間間隔で第１の通信チャネルを通して圧力測定デバイス１に給電し、圧力測定デバイス１のアンテナを通してマイクロプロセッサによって送信されるデータを収集する。収集されるデータは、例えば、圧力センサーからの電気信号及び／又は圧力測定デバイス１のマイクロプロセッサによって計算されるＩＯＰ値を含む。実施形態において、収集されるデータはまた、慣性センサーからの電気信号及び／又は圧力測定デバイス１のマイクロプロセッサによって計算される１つ又は複数の慣性パラメーターの値を含
む。収集されるデータは、携帯型記録デバイス６の内部メモリに記憶される。眼圧及び／又は１つ又は複数の慣性パラメーターは、例えば、５分〜１０分おきに１０秒〜６０秒の間、１０Ｈｚ〜２０Ｈｚの頻度で測定される。これは、夜間、ユーザーが眠っている間、を含む長期間にわたるＩＯＰ変動の精密なモニタリングを可能にする。
【００５９】
好ましくは、１つ又は複数の慣性パラメーターの測定頻度は、ＩＯＰの測定頻度と同じであり、測定は、更により好ましくは、同時又はほぼ同時である。しかし、本発明の実施形態によれば、１つ又は複数の慣性パラメーターの測定スキームは、眼圧の測定スキームと異なる。これは、例えば、慣性センサーが携帯型デバイス６内に配置され、連続的に給電される一方で、測定が連続的に実行される場合に当てはまる。しかし、他の測定スキームが、本発明の枠組み内で可能である。
【００６０】
好ましくは予め規定された或る瞬間に、例えば１日に１回、１週間に１回、又は１か月に１回、ユーザー及び／又は医師は、第２の好ましくは無線の通信チャネル、例えばブルートゥース通信チャネルを通じて、携帯型記録デバイス６を、遠隔コンピューティングデバイス、例えばパーソナルコンピューターに接続する。しかし、第２の通信チャネルはまた、有線通信チャネル、例えばＵＳＢ又は任意の他の適切な通信チャネルであり得る。収集され、携帯型記録デバイス６の内部メモリに記憶されるデータは、その後、ユーザー及び／又は医師による更なる分析及び／又は計算のため、第２の通信チャネルを通じてコンピューティングデバイスに転送される。
【００６１】
ＩＯＰ測定値は、例えば、同じ時間ベースラインを有する単一グラフ上で全ての測定値を表示すること又は任意の他の適切な表現によって、コンピューティングデバイス７によって慣性測定値と相関される。ＩＯＰ変動分析を、その後実施し、例えば医師がＩＯＰに関するこれらのパラメーターの効果を分析するため、例えば少なくとも部分的に自動的に、測定される慣性パラメーターの同時変動と相関させることができる。
【００６２】
変形実施形態では、本発明の眼圧測定及び／又はモニタリングシステムは、２つの圧力測定デバイスを備えて、例えば長期間にわたって患者の両方の眼を同時にモニタリングすることを可能にする。好ましくは、両方の圧力測定デバイスは、例えば、２つのアンテナに接続され、及び／又は、２つのアンテナを備える同じ携帯型記録デバイス６と同時に及び／又は交互に通信する。したがって、携帯型記録デバイスは、好ましくは、両方の眼圧測定デバイスから受信されるデータを記憶又は記録する。
【図１】
0006055911.tif 000002
【図２】
0006055911.tif 000003
【図３】
0006055911.tif 000004
【図４】
0006055911.tif 000005
【図５】
0006055911.tif 000006